(57)【特許請求の範囲】
【請求項１】
２つの空間の間に形成される開口を閉塞可能な引戸を備えた建具であって、
前記２つの空間の一方の空間と他方の空間とを連通し、前記一方の空間に進入した水を前記他方の空間に排出する連通流路を形成する連通部材を有し、
前記連通部材は、見付け方向に沿う前記連通流路を形成する連通部と、前記連通部から排出される水を前記他方の空間側に案内する案内経路部と、を有し、
見込み方向に沿う軸を中心に回動可能に設けられ、前記引戸にて前記開口を閉塞することにより前記連通部の前記一方の空間側の入口を閉塞して前記連通流路を遮断した状態で回動が規制され、前記引戸を開くことにより前記回動に対する規制が解除されて前記連通流路が連通される遮断部材を備えたことを特徴とする建具。
【請求項２】
請求項１に記載の建具であって、
前記遮断部材は、前記引戸に設けられており、
前記引戸により前記開口が閉塞されたときに前記遮断部材が前記連通流路を遮断することを特徴とする建具。
【請求項３】
請求項１または請求項２に記載の建具であって、
前記遮断部材は、前記引戸が有する戸車ユニットに設けられており、
前記戸車ユニットは、回動して前記引戸を支持するローラーを備えた戸車本体と、前記戸車本体を収容して前記引戸に固定されるハウジングと、
前記戸車本体の前記ハウジングに対する上下方向の位置を調整可能な調整部材と、を有し、
前記遮断部材は、前記戸車本体に設けられていることを特徴とする建具。
【請求項４】
請求項１乃至請求項３のいずれかに記載の建具であって、
前記引戸を見付け方向に案内するレールを備えた下枠を有し、
前記下枠は、前記一方の空間に進入した水を収容し、見付け方向に沿って設けられた溝部を有し、
前記連通流路は、前記溝部と前記他方の空間とを連通していることを特徴とする建具。
【請求項５】
請求項４に記載の建具であって、
前記遮断部材は、前記引戸が移動する際に、前記溝部内を移動することを特徴とする建具。
【請求項６】
請求項１乃至請求項５のいずれかに記載の建具であって、
前記開口と見付け方向に隣接する袖部を形成する縦骨を有し、
前記連通流路は、前記縦骨の前記一方の空間側にて見付け方向に沿い、前記縦骨の前記開口側にて見込み方向に沿って前記他方の空間に向かうように形成されていることを特徴とする建具。
【発明の詳細な説明】
【技術分野】
【０００１】
本発明は、２つの空間の間に形成される開口を閉塞可能な引戸を備えた建具に関する。
【背景技術】
【０００２】
２つの空間の間に形成される開口を閉塞可能な引戸を備えた建具としては、例えば、浴室と脱衣室とを連通する出入口を閉塞可能な引戸が出入口と隣接する仕切り壁の脱衣室側に納められる建具が知られている（例えば、特許文献１参照）。この建具は、引戸が納められる部位に設けられる戸袋パネルが載置される幅木材に、引戸を案内する下レールに設けた排水孔から脱衣室側の水を排出する環状の排水経路を形成し、出入口側に突出された排水経路の出口部分を方立てに設けた切り欠きを通して配置した浴室の出入口構造を備えた建具が知られている。この建具は、出入口側から引戸が収まる部位に浸入した水を排水孔から排水経路を通して浴室側に排出できるように、浴室と脱衣室とが排水孔及び排水経路を介して連通されている。
【先行技術文献】
【特許文献】
【０００３】
【特許文献１】特開２００４−８４３３５号公報
【発明の概要】
【発明が解決しようとする課題】
【０００４】
上記のような建具は、浴室と脱衣室とが排水孔及び排水経路を介して常に連通されているので、引戸にて開口を閉塞することにより開口を形成している部位と引戸との間が止水されていても、浴室を使用して出入口側に至った水が、排水孔及び排水経路を通って脱衣室側に進入してしまうおそれがあるという課題がある。
【０００５】
本発明は、かかる課題に鑑みてなされたものであり、その目的とするところは、一方の空間から他方の空間への水の排水経路をなす流路を備えつつも引戸の閉塞時には流路から一方の空間に水が進入しにくい建具を提供することにある。
【課題を解決するための手段】
【０００６】
かかる目的を達成するために本発明の建具は、２つの空間の間に形成される開口を閉塞可能な引戸を備えた建具であって、前記２つの空間の一方の空間と他方の空間とを連通し、前記一方の空間に進入した水を前記他方の空間に排出する連通流路を形成する連通部材を有し、前記連通部材は、見付け方向に沿う前記連通流路を形成する連通部と、前記連通部から排出される水を前記他方の空間側に案内する案内経路部と、を有し、見込み方向に沿う軸を中心に回動可能に設けられ、前記引戸にて前記開口を閉塞することにより前記連通部の前記一方の空間側の入口を閉塞して前記連通流路を遮断した状態で回動が規制され、前記引戸を開くことにより前記回動に対する規制が解除されて前記連通流路が連通される遮断部材を備えたことを特徴とする建具である。
このような建具によれば、一方の空間と他方の空間とを連通し、一方の空間に進入した水を他方の空間に排出する連通流路は、引戸を閉じることにより連通流路の一方の空間側にて遮断部材により遮断されるので、引戸の閉塞時には一方の空間側に水は進入し難い。このため、引戸により開口が閉塞されていないときには一方の空間に進入した水を他方の空間に排出する連通流路を有しつつも引戸の閉塞時には連通流路から一方の空間に水が進入しにくい建具を提供することが可能である。
【０００７】
かかる建具であって、前記遮断部材は、前記引戸に設けられており、前記引戸により前記開口が閉塞されたときに前記遮断部材が前記連通流路を遮断することが望ましい。  
このような建具によれば、引戸により開口が閉塞されたときに、引戸に設けられた遮断部材が連通流路を遮断するので、引戸にて開口を閉塞した際には連通流路を確実に遮断することが可能である。また、遮断部材を引戸に設けることにより、特段の機構を設けたり制御することなく、簡単且つ安価に連通流路を遮断することが可能である。
【０００８】
かかる建具であって、前記遮断部材は、前記引戸が有する戸車ユニットに設けられており、前記戸車ユニットは、回動して前記引戸を支持するローラーを備えた戸車本体と、前記戸車本体を収容して前記引戸に固定されるハウジングと、前記戸車本体の前記ハウジングに対する上下方向の位置を調整可能な調整部材と、を有し、前記遮断部材は、前記戸車本体に設けられていることが望ましい。  
このような建具によれば、遮断部材は、戸車ユニットの、引戸を支持するローラーを備えた戸車本体に設けられている。すなわち、引戸を支持するローラーとともに戸車本体をなしているので、ローラーと遮断部材との相対位置は不変である。すなわち、ローラーにより引戸が支持されている状態では、常に一定の位置に遮断部材が位置している。このため、調整部材により戸車本体のハウジングに対する位置が調整されたとしても、遮断部材にて連通流路を遮断することが可能である。すなわち、引戸の上下方向の調整機構を備えつつも確実に連通流路を遮断することが可能である。
【０００９】
かかる建具であって、前記引戸を見付け方向に案内するレールを備えた下枠を有し、前記下枠は、前記一方の空間に進入した水を収容し、見付け方向に沿って設けられた溝部を有し、前記連通流路は、前記溝部と前記他方の空間とを連通していることが望ましい。  
このような建具によれば、連通流路は下枠に見付け方向に沿って設けられ、一方の空間に進入した水を収容する溝部と他方の空間とを連通しているので、溝部に収容された一方の空間に進入した水を連通流路を通して他方の空間に効率良く排出することが可能である。
【００１０】
かかる建具であって、前記遮断部材は、前記引戸が移動する際に、前記溝部内を移動することが望ましい。  
このような建具によれば、引戸に設けられた遮断部材は、引戸が移動する際に、溝部内を移動するので、溝部内に収容された水を引戸の移動とともに連通流路側に移動させることが可能である。このため、より効率良く水を排出することが可能である。
【００１１】
かかる建具であって、前記開口と見付け方向に隣接する袖部を形成する縦骨を有し、前記連通流路は、前記縦骨の前記一方の空間側にて見付け方向に沿い、前記縦骨の前記開口側にて見込み方向に沿って前記他方の空間に向かうように形成されていることが望ましい。  
このような建具によれば、袖部の一方の空間側に進入した水を、開口と見付け方向に隣接する袖部を形成する縦骨の一方の空間側から開口側を通して他方の空間側に確実に排出することが可能である。
【発明の効果】
【００１２】
本発明によれば、一方の空間から他方の空間への水の経路をなす連通流路を備えつつも引戸の閉塞時には連通流路から一方の空間に水が進入しにくい建具を提供することが可能である。
【図面の簡単な説明】
【００１３】
【図１】本実施形態に係る浴室建具の縦断面図である。
【図２】本実施形態に係る浴室建具の横断面図である。
【図３】図１における下枠側の拡大図である。
【図４】図４（ａ）は、下枠基材を示す斜視図、図４（ｂ）は、下枠を示す斜視図である。
【図５】図５（ａ）は、連通流路を袖部寄りから見た斜視図であり、図５（ｂ）は、連通流路を浴室出入口寄りから見た斜視図である。
【図６】戸車ユニットの構成を示す斜視図である。
【図７】挿入片により閉塞される連通部を袖部寄りから見た斜視図である。
【図８】挿入片により閉塞される連通部を浴室出入口寄りから見た斜視図である。
【図９】連通部材側に設けられた閉塞部材により連通路が閉塞される状態を浴室出入口寄りから見た斜視図である。
【発明を実施するための形態】
【００１４】
以下、本発明の一実施形態に係る建具について図面を参照して説明する。  
本実施形態においては、２つの空間を一方の空間としての脱衣室と他方の空間としての浴室とし、脱衣室と浴室との間に形成される開口を閉塞可能な引戸を有する建具としての浴室建具を例に挙げて説明する。
【００１５】
本実施形態の浴室建具１は、例えば、図１、図２に示すように、脱衣室側から見て左側の領域が引戸５により閉塞可能な開口としての浴室出入口２をなし、右側の領域には壁面２１ａをなすパネル体２１が設けられて袖部３をなし、袖部３より脱衣室側を見付け方向に沿って移動する引戸５が、浴室出入口２を開閉可能に構成された引き込み戸タイプの建具である。
【００１６】
以下の説明においては、建物等に取り付けられた状態の浴室建具１を脱衣室側から見たときに、上下となる方向を上下方向、左右となる方向を左右方向または見付け方向、浴室内外方向である奥行き方向を見込み方向として示す。また、浴室建具１が備える各部材は、単体の状態であっても建物等に取り付けられた状態にて奥行き方向、左右方向、上下方向となる方向にて方向を特定して説明する。また、浴室建具１を構成する枠体１０や引戸５が有する部材は、単体の状態であっても浴室建具１が建物等に取り付けられた状態で上下方向、見付け方向、見込み方向等となる方向にて方向を特定して説明する。
【００１７】
浴室建具１は、浴室内外の境界に設けられる枠体１０と、枠体１０の脱衣室側の部位にて見付け方向に移動可能に設けられ、枠体１０における見付け方向の約半分の領域に形成される浴室出入口２を閉塞可能に設けられた引戸５と、枠体１０が有する下枠１４に見付け方向の全域に亘って設けられ、下枠１４と引戸５との間を止水する下シール材２２と、袖部３と引戸５との間を止水する縦シール材３２と、下枠１４の袖部３より脱衣室側と浴室出入口２側とを連通する連通流路５０を形成する連通部材５１と、下枠１４上の浴室出入口２側に設けられ、下枠１４に嵌合されるカバー部材４０と、を有している。
【００１８】
カバー部材４０は、図３に示すように、下枠１４上に載置されるカバー本体部４０ａと、カバー本体部４０ａの下面から下方に突出されて下枠１４に嵌合される嵌合片４０ｂとを有している。カバー本体部４０ａの上面４０ｃには傾斜が設けられている。
【００１９】
枠体１０は、左右の縦枠１１、１２、上枠１３、下枠１４、及び、左右の縦枠１１、１２のほぼ中央に設けられ浴室出入口２側と袖部３側とを仕切る縦骨２０を有している。縦骨２０は、見込み方向において左の縦枠１１の幅のほぼ半分の幅を有し、浴室側に設けられており、右の縦枠１２は見込み方向において左の縦枠１１の幅のほぼ半分の幅を有し、脱衣室側に設けられている。
【００２０】
そして、図２に示すように、縦骨２０の脱衣室側の部位と右の縦枠１２の浴室側の部位とは、見込み方向における中央近傍にて、見付け方向に対向するように配置されており、この対向する部位にて端部が支持されて、袖部３の脱衣室側の壁面２１ａをなすパネル体２１が設けられている。
【００２１】
下枠１４は、躯体(不図示)に支持されるとともに、脱衣室側に設けられた額縁３０と浴室に設けられた防水パン(不図示）との間に架け渡されている。下枠１４は、下枠１４の基となる基材としての下枠基材１４１が押出成形にて形成され、下枠基材１４１(図４)に加工が施されて形成されている。
【００２２】
下枠基材１４１は、押出成形された部材なので、図４（ａ）に示すように、同一の断面形状をなす部位が所定方向(本願では見付け方向)に繋がった形状をなしている。下枠基材１４１は、最も脱衣室側に位置して額縁３０の上部に配置される、下枠１４における額縁覆部１９と、浴室と脱衣室とを繋ぐ、下枠１４における下枠本体部１７を含む基材本体部１７０と、額縁覆部１９と基材本体部１７０との間に設けられ下シール材２２が嵌合される、下枠１４における下シール材嵌合部１８と、が一体に形成されている。下枠基材１４１は、基材本体部１７０に、後述する加工が施されて図４（ｂ）に示すような下枠１４となる。
【００２３】
基材本体部１７０は、下シール材嵌合部１８と繋がって浴室側に向かって低くなる傾斜面を有する基材傾斜部１７１と、基材傾斜部１７１から上方に突出し引戸５を案内するレール１７ａと、基材傾斜部１７１から上方に突出し袖部３のパネル体２１を保持するパネル下保持部１５となる保持部加工部１４１ａと、を有している。そして、パネル下保持部１５は、下枠本体部１７の見込み方向におけるほぼ中央に形成されており、レール１７ａは、下シール材嵌合部１８とパネル下保持部１５との間にて、見込み方向における中央より脱衣室側に、上方に突出させて設けられている。
【００２４】
保持部加工部１４１ａは、基材傾斜部１７１から上方に立ち上がり、見付け方向に沿う面を有し鉛直板部１５ａとなる部位と、鉛直板部１５ａの上端から浴室側に延出されて上延出部１５ｂとなる部位と、上延出部１５ｂの浴室側に設けられ下方に窪みパネル体２１の下端が収容されるパネル体収容部１５ｃとなる部位とを有している。以下の説明では、保持部加工部１４１ａの説明であっても、鉛直板部１５ａとなる部位を鉛直板部１５ａ、上延出部１５ｂとなる部位を上延出部１５ｂ、パネル体収容部１５ｃとなる部位をパネル体収容部１５ｃ、と称して説明する。
【００２５】
下枠本体部１７のパネル下保持部１５の脱衣室側には、パネル下保持部１５の鉛直板部１５ａがその一部をなす第１溝部１７ｂが下方に窪ませて設けられており、パネル下保持部１５の浴室側には、第１溝部１７ｂの底部１７ｃと同じ高さをなす浴室側平面部１７ｄが設けられている。浴室側平面部１７ｄには、下方に窪む第２溝部１７ｅが設けられている。第２溝部１７ｅは、浴室側平面部１７ｄに設けられた開口部１７ｆが下方に位置する内部空間より狭く形成されており、カバー部材４０の嵌合片４０ｂが嵌合されるように形成されている。第１溝部１７ｂの底部１７ｃには、見付け方向に沿う凹凸部が設けられている。
【００２６】
開口部１７ｆを形成する脱衣室側の縁部１７ｋより僅かに脱衣室側の位置から上方に突出させて鉛直板部１５ａ、すなわちパネル下保持部１５が形成されている。すなわち、第１溝部１７ｂと第２溝部１７ｅとは、パネル下保持部１５(切除された部位では切断面１４ａ)の、見込み方向における両側に隣接させて設けられている。
【００２７】
下枠本体部１７のレール１７ａより脱衣室側は、ほぼ水平な面をなしており、下枠本体部１７のレール１７ａと第１溝部１７ｂとの間、及び、浴室側平面部１７ｄより浴室側は、脱衣室側から浴室側に向かって漸次低くなるような傾斜を有する、脱衣室側傾斜面１７ｇと浴室側傾斜面１７ｈとが設けられている。
【００２８】
下枠基材１４１は、図４（ａ）に示すように、基材本体部１７０の見付け方向における中央付近にて第１溝部１７ｂより浴室側の部位のうち鉛直板部１５ａの一部を残して切除され縦骨２０が組み込まれる切取凹部１４１ｂが設けられ、切取凹部１４１ｂより袖部３側では第２溝部１７ｅより浴室側の部位が切除され、切取凹部１４１ｂより浴室出入口２側では保持部加工部１４１ａが鉛直板部１５ａの下端から切除されて図４（ｂ）に示すような下枠１４となる。すなわち、保持部加工部１４１ａは、切取凹部１４１ｂが設けられたときに、切取凹部１４１ｂを挟んで浴室出入口２側と袖部３側とに分断され、残った保持部加工部１４１ａのうちの浴室出入口２側が切除されることにより残った部位がパネル下保持部１５となる。下枠１４には、切取凹部１４１ｂより浴室出入口２側に、カバー部材４０及び連通部材５１が取り付けられて、縦骨２０が接合される。
【００２９】
縦骨２０は、図２に示すように、水平断面が長方形状をなす中空の縦骨本体２０ａと、縦骨本体２０ａの浴室出入口２に臨む面が脱衣室側に延出され、その先端が右の縦枠１２側に延出された脱衣室側壁部２０ｂと、脱衣室側壁部２０ｂの右の縦枠１２側に設けられてパネル体２１の左側端部を収容するパネル体保持部２０ｃと、脱衣室側壁部２０ｂから脱衣室側に突出して縦シール材３２が嵌合される縦シール材嵌合部２０ｄと、縦シール材嵌合部２０ｄの脱衣室側の端部から右縦枠方向に延出された引き寄せ片２０ｇとを有している。
【００３０】
縦骨本体２０ａの浴室に臨む面２０ｈは、浴室の内壁３３、及び、下枠１４の浴室側の端面１７ｉとほぼ同一平面を形成するように構成されている。
【００３１】
脱衣室側壁部２０ｂに設けられた縦シール材嵌合部２０ｄは、脱衣室側壁部２０ｂの浴室出入口２側の端部に、上下方向に沿って、引戸５が有する戸尻框５ａの浴室側の面に当接される縦シール材３２が嵌合される嵌合溝部２０ｅが、脱衣室側壁部２０ｂから脱衣室側に延出された延出部２０ｆを介して設けられている。
【００３２】
パネル体保持部２０ｃは、パネル体２１の浴室側の面２１ｂが当接される面材当接部２０ｉと、面材当接部２０ｉの浴室出入口２側に設けられパネル体２１を脱衣室側から支持する押縁２４が嵌合される押縁嵌合部２０ｊと、を有している。このパネル体保持部２０ｃは、右縦枠１２に設けられて左右方向が反転した対称形状に形成された面材支持部１２ａとともに、押縁２４が嵌合されてパネル体２１を支持している。
【００３３】
縦骨２０は、下端において、縦骨本体２０ａ、及び、パネル体保持部２０ｃが、嵌合溝部２０ｅ、及び、引き寄せ片２０ｇより下方に長く形成されている。そして、下枠１４には縦骨２０がシール材(不図示)を介して接合されている。また、縦骨２０の脱衣室側壁部２０ｂより脱衣室側の部位の下端、すなわち、縦シール材嵌合部２０ｄ、延出部２０ｆ、引き寄せ片２０ｇの下端は、第１溝部１７ｂの上方に間隔を隔てて配置されており、袖部３側の脱衣室側に進入した水が第１溝部１７ｂに至った際に、第１溝部１７ｂの水を浴室出入口２側に排出するように構成されている。
【００３４】
そして、縦骨２０の縦シール材嵌合部２０ｄ、延出部２０ｆ、引き寄せ片２０ｇの下には、第１溝部１７ｂの水を浴室出入口２側に案内し、袖部３の脱衣室側と浴室出入口２側とを連通する連通流路５０を形成する連通部材５１が、切取凹部１４１ｂに残された鉛直板部１５ａの脱衣室側から浴室出入口２の浴室側平面部１７ｄの縦骨２０の脇にわたって設けられている。また、浴室側平面部１７ｄの連通部材５１と左の縦枠１１との間にはカバー部材４０が設けられている。
【００３５】
カバー部材４０は、縦骨２０より左側に形成された保持部加工部１４１ａが鉛直板部１５ａの下端から切除された部位に取り付けられる。下枠１４のパネル下保持部１５が切除された部位は、第１溝部１７ｂの底部１７ｃと浴室側平面部１７ｄとが平面をなしており、カバー本体部４０ａは、下面から下方に突出された嵌合片４０ｂが第２溝部１７ｅに嵌合されたときに、第１溝部１７ｂと第２溝部１７ｅとに跨るとともに切断面１４ａを覆うように配置される。このとき、カバー本体部４０ａの上面４０ｃは、脱衣室側傾斜面１７ｇと浴室側傾斜面１７ｈとが繋がるような傾斜をなしている。
【００３６】
連通部材５１は、前述したように縦骨２０の脱衣室側壁部２０ｂより脱衣室側の部位の下から浴室出入口２側にわたって設けられる樹脂製の部材である。連通部材５１は、図５に示すように、縦骨２０の縦シール材嵌合部２０ｄ、延出部２０ｆ、引き寄せ片２０ｇの下に設けられて第１溝部１７ｂの底部１７ｃに被せるように配置される連通部５２と、連通部５２の浴室出入口２側の端部から延出されて連通部５２から排出される水を浴室出入口２側にて浴室に案内する案内経路部５３と、連通部５２の浴室出入口２側の端部と一体をなし、縦骨２０の、浴室出入口２に臨む面に当接される縦骨当接部５４と、を有している。すなわち、連通部材５１にて形成され連通流路５０は、縦骨２０の脱衣室側にて見付け方向に沿い、縦骨２０の浴室出入口２側にて見込み方向に沿って浴室に向かうように形成されている。
【００３７】
連通部５２は、見込み方向に互いに間隔を隔てた一対の側壁部５２ａと一対の側壁部５２ａの上端を繋いで一対の側壁部５２ａ間を覆う上面部５２ｂとを有し、見込み方向に沿う縦断面が、下方に開放されたコ字状をなす、見付け方向に沿ったトンネル形状をなしている。この連通部５２の、見込み方向の幅は第１溝部１７ｂの見込み方向の幅とほぼ同じ幅に形成されており、連通部５２が第１溝部１７ｂに配置されると、一対の側壁部５２ａ５２ａの外面が、第１溝部１７ｂの内面(一方の内面は鉛直板部１５ａ)に当接される。連通部５２の、見付け方向における一方の端部は、縦骨２０が有する引き寄せ片２０ｇより右の縦枠１２側に位置しており、他方の端部は、縦骨当接部５４に設けられる切欠部５４ａをなしている。
【００３８】
案内経路部５３は、切欠部５４ａの脱衣室側の縁からは浴室出入口２側に延出するとともに、一対の側壁部５２ａの間隔とほぼ同じ間隔を、縦骨当接部５４との間に水の通路を確保して浴室側に延出されたガイド部５３ａと、ガイド部５３ａと縦骨当接部５４とを連結するともに、第２溝部１７ｅに挿入される連結部５３ｂとを有している。
【００３９】
連通部材５１は、第１溝部１７ｂ及び第１溝部１７ｂと同一面をなす浴室側平面部１７ｄの上に載置される。このため、連通部５２、縦骨当接部５４、案内経路部５３の連結部５３ｂを除く部位は、下端が同一平面に形成されており、連結部５３ｂが第２溝部１７ｅに挿入されると、連結部５３ｂの上面５３ｃが、第２溝部１７ｅの脱衣室側の上面と浴室側の上面とを平坦に繋ぐように構成されている。このため、連通部材５１は、袖部３の脱衣室側に至り第１溝部１７ｂに収容された水を連通部５２から案内経路部５３を通して浴室出入口２側に移動させ、浴室出入口２側にて第１溝部１７ｂから第２溝部１７ｅを覆う連結部５３ｂ上を通して浴室側に移動させて排水する連通流路５０を形成している。
【００４０】
連通部材５１の連通部５２が有する上面部５２ｂの上面には、縦骨２０に設けられた縦シール材嵌合部２０ｄ、延出部２０ｆ、引き寄せ片２０ｇ、及び、縦シール材３２の下端が当接されている。
【００４１】
引戸５は、戸先框５ｂと戸尻框５ａと、戸先框５ｂと戸尻框５ａとの間に介在されて戸先框５ｂと戸尻框５ａとの上端部同士及び下端部同士をそれぞれ接合する上框５ｃ及び下框５ｄとが、面材５ｅを囲むように框組みされて構成されている。引戸５の下框５ｄ内には、浴室側から脱衣室側に向かって突出し、レール１７ａの浴室側の部位に当接されるシール材２３が設けられ、引戸５の戸先框５ｂ及び戸尻框５ａの下端には、レール１７ａに支持されつつ転動するローラー６１を有する戸車ユニット６０がそれぞれ設けられている。
【００４２】
戸車ユニット６０は、図６に示すように、ローラー６１と、ローラー６１を回動自在に保持するホルダー６２とを有する戸車ユニットとしてのローラーユニット６３と、戸先框５ｂと戸尻框５ａの下端に嵌合され保持され、ローラーユニット６３が上下方向に移動可能に収容されるハウジング６８と、を有している。
【００４３】
ハウジング６８は、戸先框５ｂと戸尻框５ａの小口を覆うように嵌合され、下方に開放されたローラーユニット収容部６８ａを備え、ローラーユニット収容部６８ａには上部に備わられ、戸先框５ｂと戸尻框５ａの外側から回動可能なビス６８ｂによりローラーユニット６３を引戸５に対して上下方向に移動させることが可能な、ローラーユニット６３の調整部材としての位置調整機構６９が設けられている。このため、引戸５がレール１７ａに支持された状態で位置調整機構６９のビス６８ｂを回動させることにより、引戸５の下枠１４に対する上下方向の位置を調整することが可能である。
【００４４】
戸尻框５ａに設けられる戸車ユニット６０には、ローラーユニット６３のホルダー６２の下端に、レール１７ａより浴室側であって、第１溝部１７ｂより脱衣室側に位置する脱衣室側傾斜面１７ｇに当接される軟質樹脂製の脱衣室側シール材６２ａと、見込み方向に沿う軸を中心に回動可能に設けられ、第１溝部１７ｂに挿入される揺動部材６４が設けられている。また、ホルダー６２には、揺動部材６４がほぼ鉛直をなす姿勢から浴室出入口２と反対方向への回動を規制するストッパー６２ｂが設けられている。
【００４５】
揺動部材６４は、回動軸をなし硬質樹脂でなる軸部６４ａと、第１溝部１７ｂに挿入される軟質樹脂でなる遮断部材としての挿入片６４ｂとが一体に二色成型されている。挿入片６４ｂは、第１溝部１７ｂと交差する方向に沿って配置されるヒレ状の部位であり、その周縁が第１溝部１７ｂの内面、すなわち見込み方向において対向する２つの側面と底部１７ｃとに接触するように構成されている。
【００４６】
揺動部材６４は、引戸５とともに、挿入片６４ｂの周縁が第１溝部１７ｂの内面に摺接しつつ見付け方向に移動する。そして、図７、図８に示すように、引戸５にて浴室出入口２を閉塞した際に、挿入片６４ｂが連通部材５１の脱衣室側の端、すなわち、連通部５２の脱衣室側の入口５１ａに当接して、連通部５２の脱衣室側の入口５１ａを閉塞して連通流路５０を遮断するように構成されている。引戸５が浴室出入口２を閉塞し、挿入片６４ｂが連通部５２を閉塞した状態では、揺動部材６４はストッパー６２ｂに規制されて回動しないように構成されている。このため、引戸５が浴室出入口２を閉塞した状態では、挿入片６４ｂにより連通部５２が閉塞されて連通流路５０が遮断された状態が維持される。
【００４７】
本実施形態の浴室建具１によれば、浴室と脱衣室とを連通し、脱衣室側に進入した水を浴室に排出するは、引戸５にて浴室出入口２を閉じることにより連通部材５１の連通部５２の脱衣室側の入口５１ａが挿入片６４ｂにより閉塞されて連通流路５０が遮断されるので、引戸５の閉塞時には脱衣室側に水は進入し難い。このため、脱衣室側に進入した水を浴室に排出する連通流路５０を有しつつも引戸５の閉塞時には連通流路５０から脱衣室側に水が進入しにくい浴室建具１を提供することが可能である。
【００４８】
また、引戸５により浴室出入口２が閉塞されたときに、引戸５に設けられた挿入片６４ｂが連通部５２の脱衣室側の入口５１ａを閉塞するので、引戸５にて浴室出入口２を閉塞した際には連通部５２の脱衣室側の入口５１ａを確実に閉塞して連通流路５０を遮断することが可能である。また、挿入片６４ｂを引戸５に設けることにより、特段の機構を設けたり制御することなく、簡単且つ安価に連通部５２の脱衣室側の入口５１ａを閉塞して連通流路５０を遮断することが可能である。
【００４９】
また、挿入片６４ｂは、戸車ユニット６０の、引戸５を支持するローラー６１を備えたローラーユニット６３に設けられている。すなわち、引戸５を支持するローラー６１とともにローラーユニット６３をなしているので、ローラー６１と挿入片６４ｂとの相対位置は不変である。このため、ローラー６１により引戸５が支持されている状態では、常に一定の位置に挿入片６４ｂが位置している。このため、位置調整機構６９によりローラーユニット６３のハウジング６８に対する位置が調整されたとしても、挿入片６４ｂにて連通部５２の脱衣室側の入口５１ａを閉塞して連通流路５０を遮断することが可能である。すなわち、引戸５の上下方向の位置調整機構６９を備えつつも確実に連通部５２の脱衣室側の入口５１ａを閉塞して連通流路５０を遮断することが可能である。
【００５０】
また、連通部５２は下枠１４に見付け方向に沿って設けられ、脱衣室側に進入した水を収容する第１溝部１７ｂと浴室とを連通しているので、第１溝部１７ｂに収容された脱衣室側に進入した水を、連通部５２を通して浴室に効率良く排出することが可能である。
【００５１】
また、引戸５に設けられた挿入片６４ｂは、引戸５が移動する際に、第１溝部１７ｂ内を移動するので、第１溝部１７ｂ内に収容された水を引戸５の移動とともに連通部５２側に移動させることが可能である。このため、より効率良く水を排出することが可能である。
【００５２】
また、連通流路５０は、縦骨２０の脱衣室側にて見付け方向に沿い、縦骨２０の浴室出入口２側にて見込み方向に沿って浴室に向かうように形成されているので、袖部３の脱衣室側に進入した水を、浴室出入口２と見付け方向に隣接する袖部３を形成する縦骨２０の脱衣室側から浴室出入口２側を通して浴室側に確実に排出することが可能である。
【００５３】
上記実施形態においては、連通部５２の脱衣室側の入口５１ａを閉塞する挿入片６４ｂを引戸５側に設けた例について説明したが、図９に示すように、連通部５２の脱衣室側の入口５１ａを閉塞して連通流路５０を遮断する遮断部材としての閉塞部材６５を連通部材５１側に設けてもよい。この場合には、連通部５２の脱衣室側の入口５１ａを閉塞する閉塞部材６５を、連通部５２の脱衣室側の入口５１ａに開閉自在に設け、引戸５が開かれている状態では、遮断部材６５が入口５１ａを開放した状態をなすように設けておく。一方、引戸５が有する戸車ユニット６０のローラーユニット６３に、引戸５にて浴室出入口２を閉塞した際に、閉塞部材６５と接触して閉塞部材６５を連通部５２の脱衣室側の入口５１ａに押圧させて入口５１ａを閉塞して連通流路５０を遮断するような押圧部６６を設けておくことにより、引戸５にて浴室出入口２を閉塞した際には連通部５２の脱衣室側の入口５１ａを確実に閉塞して連通流路５０を遮断することが可能である。
【００５４】
上記実施形態においては、脱衣室側から見たときに、左側の領域に出入口が設けられ、右側の領域に袖部が設けられている例について説明したが、出入口が右側の領域に設けられ、袖部が左側の領域に設けられていてもよい。
【００５５】
上記実施形態においては、袖部を有し、枠体が縦骨によって仕切られた領域に形成される開口を閉塞可能な１枚の引戸を備えた建具を例に挙げて説明したが、これに限るものではない。例えば、複数枚の引戸によって開口を閉塞する建具であっても構わない。また、片引き戸に限らず、引き違い引戸であっても構わない。この場合には、一方の引戸を閉じた状態、すなわち戸先框が縦枠に当接された状態にて、この引戸の召合せ框と枠体とにて形成される開口を閉塞可能な引戸が備えられていればよい。
【００５６】
上記実施形態においては、連通流路５０を、上面部５２ｂを有する連通部材にて形成する例について説明したが、連通流路５０は、上方が塞がれていなくともよい。
【００５７】
上記実施形態においては、浴室建具を例に挙げて説明したが、建具を備える場所は浴室に限らず、例えば、玄関、勝手口や、サービスヤード、サンルーム、テラスの出入口を備える部位であっても構わない。
【００５８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５９】
１  浴室建具、２  浴室出入口、５  引戸、１４  下枠、１７ａ  レール、
５０  連通流路、５１  連通部材、５１ａ  連通部の脱衣室側の入口、
５２  連通部、６０  戸車ユニット、６１  ローラー、６３  ローラーユニット、
６４  揺動部材、６４ｂ  挿入片、６５  遮断部材、６８  ハウジング、
６９  位置調整機構、
【図１】
0005955591.tif 000002
【図２】
0005955591.tif 000003
【図３】
0005955591.tif 000004
【図４】
0005955591.tif 000005
【図５】
0005955591.tif 000006
【図６】
0005955591.tif 000007
【図７】
0005955591.tif 000008
【図８】
0005955591.tif 000009
【図９】
0005955591.tif 000010